(57)【特許請求の範囲】
【請求項１】
ケーシング（ＨＳ１００）と、インターフェース継手またはプラグソケットセット（Ｐ１）と、専属インターフェース回路（Ｃ１００）と、補助出入力インターフェース継手またはプラグソケットセット（Ｐ２）と、切換選択スイッチ（ＳＬ１００）とを備え、
前記インターフェース継手またはプラグソケットセット（Ｐ１）は主フレームのインターフェース継手またはプラグソケットセット（Ｐ０）との接続に使用され、内部に前記補助出入力インターフェース継手またはプラグソケットセット（Ｐ２）、前記専属インターフェース回路（Ｃ１００）および前記切換選択スイッチ（ＳＬ１００）が設けられ、前記インターフェース継手またはプラグソケットセット（Ｐ１）は前記切換選択スイッチ（ＳＬ１００）の操作によって前記専属インターフェース回路（Ｃ１００）または前記補助出入力インターフェース継手またはプラグソケットセット（Ｐ２）に接続され、
前記ケーシング（ＨＳ１００）は、プラスチック材、合金のダイキャスト、金属材料またはその他材料のいずれかより成型され、所属インターフェース装置関連の前記専属インターフェース回路（Ｃ１００）および前記インターフェース継手またはプラグソケットセット（Ｐ１）ならびに一組または一組以上の前記補助出入力インターフェース継手またはプラグソケットセット（Ｐ２）の設置のために設けられ、さらに前記切換選択スイッチ（ＳＬ１００）が設けられ、前記切換選択スイッチ（ＳＬ１００）は前記インターフェース継手またはプラグソケットセット（Ｐ１）の所属インターフェース関連の前記専属インターフェース回路（Ｃ１００）と前記補助出入力インターフェース継手またはプラグソケットセット（Ｐ２）とに対する切換接続あるいは遮断の選択のために提供され、前記主フレームのケーシングとの嵌ほぞ構造の結合によって前記主フレームと嵌合されるか、ビス構造によって前記主フレームに締付けられるか、あるいは磁石によって前記主フレームに吸着される構造が設けられるかいずれかの方式により前記主フレームと連結され、
前記インターフェース継手またはプラグソケットセット（Ｐ１）は、ＳＥＲＩＡＬ、ＰＳ２、ＵＳＢ、ＩＥＥＥ１３９４またはその他選定された規格のいずれかの規格の継手またはプラグソケットセットにより構成され、前記主フレームの前記インターフェース継手またはプラグソケットセット（Ｐ０）と接続され、
前記専属インターフェース回路（Ｃ１００）は、選定されたインターフェース装置の属性によって固体電子回路または機電回路により構成され、レシーバの受信回路またはその他周辺装置の専属インターフェース回路をなし、
前記補助出入力インターフェース継手またはプラグソケットセット（Ｐ２）は、一組または一組以上のＳＥＲＩＡＬ、ＰＳ２、ＵＳＢ、ＩＥＥＥ１３９４またはその他選定された規格のいずれかの規格の継手またはプラグソケットセットにより構成され、その他有線周辺装置と接続され、
前記切換選択スイッチ（ＳＬ１００）は、機電または固体回路素子により構成された分配型切換選択スイッチであり、前記インターフェース継手またはプラグソケットセット（Ｐ１）は前記切換選択スイッチ（ＳＬ１００）の操作によって前記専属インターフェース回路（Ｃ１００）または前記補助出入力インターフェース継手またはプラグソケットセット（Ｐ２）に接続され、インターフェース回路の型式が各種の伝送インターフェースの性質に応じて設置するまたは設置しないことを選択可能であることを特徴とする主フレームに設置可能な周辺装置。
【請求項２】
任意充電台をさらに備え、
前記任意充電台は、前記主フレームの電源の蓄電装置の充電に使用され、さらに組み合わせ無線装置に使用され、前記専属インターフェース回路（Ｃ１００）内の直流正負電源は機電または固体電子素子により構成されている充電制御および表示回路（ＲＥＧ１００）に直列連結または並列連結され、充電継手またはプラグソケットセット（Ｐ３）、ならびに充電継手またはプラグソケットセット（Ｐ４）に並列連結され、同極性並列連結することにより充放電可能な二次電池または電容または超電容のいずれかから構成された蓄電装置（ＥＳＤ１００）が設置され、前記主フレームからの電源を受け、前記充電制御および表示回路（ＲＥＧ１００）により充電電圧電流の制御を行い、ならびに充電状態の表示を行うことを特徴とする請求項１記載の主フレームに設置可能な周辺装置。
【請求項３】
前記充電制御および表示回路（ＲＥＧ１００）は、ツェナー素子と出力端で直結され、ツェナー電圧値により電源と出力インターフェース間の降圧値に変換したものを含み、必要に応じて入力端には隔離ダイオード（ＣＲ１０１）が直結され、あるいは必要に応じて前記出力端に発光ダイオード（ＬＥＤ１０２）および限流抵抗（Ｒ１０２）が直結されるよう構成された充電状態表示回路が並列連結されていることを特徴とする請求項２記載の主フレームに設置可能な周辺装置。
【請求項４】
前記充電制御および表示回路（ＲＥＧ１００）には、一つまたは一つ以上を直列または並列に連結したツェナーダイオード（ＺＤ１０１）が直列連結され、同時に降圧効果および発光効果を有し一つまたは一つ以上を直列または並列に連結した発光ダイオード（ＬＥＤ１０１）が直列連結され、さらに限流抵抗（Ｒ１０１）が直列連結され、必要に応じて入力端には隔離ダイオード（ＣＲ１０１）が直列連結され、あるいは必要に応じて出力端に発光ダイオード（ＬＥＤ１０２）および限流抵抗（Ｒ１０２）が直列連結されるよう構成された充電状態表示回路が並列連結され、同時に降圧および充電状態を表示する回路の機能を有することを特徴とする請求項２記載の主フレームに設置可能な周辺装置。
【請求項５】
前記充電制御および表示回路（ＲＥＧ１０１）は、限流抵抗（Ｒ１０１）を電源と出力インターフェースとの間に直列連結する回路を含み、ツェナーダイオード（ＺＤ１０１）が前記出力インターフェースの両端に並列連結されて安定電圧の出力を構成し、必要に応じて入力端に隔離ダイオード（ＣＲ１０１）が直列連結され、あるいは必要に応じて出力端に発光ダイオード（ＬＥＤ１０２）および限流抵抗（Ｒ１０２）が直列連結されるよう構成された充電状態表示回路が並列連結されていることを特徴とする請求項２記載の主フレームに設置可能な周辺装置。
【発明の詳細な説明】
【０００１】
【発明の属する技術分野】
本発明は拡張継手を有し主フレームに設置可能である周辺装置に関する。
【０００２】
【従来の技術】
従来より、種々の周辺装置が使用されている。
【０００３】
【発明が解決しようとする課題】
本発明の主な目的は、自在に選択組合わせが可能で、拡張継手を有し主フレームに設置可能である周辺装置を提供することにある。
【０００４】
【課題を解決するための手段】
上述の目的を達成するための本発明の請求項に記載の拡張継手を有し主フレームに設置可能である周辺装置は、主フレームのインターフェース継手またはプラグソケットセットＰ０との接続のためにインターフェース継手またはプラグソケットセットＰ１が設けられている。内部には更に補助出入力インターフェース継手またはプラグソケットセットＰ２、専属インターフェース回路Ｃ１００、および切換選択スイッチＳＬ１００が設けられている。インターフェース継手またはプラグソケットセットＰ１は、切換選択スイッチＳＬ１００の操作によって専属インターフェース回路Ｃ１００または補助出入力インターフェース継手またはプラグソケットセットＰ２へ連結される。
【０００５】
主フレームのインターフェース継手またはプラグソケットセットＰ０との接続のためにインターフェース継手またはプラグソケットセットＰ１が設けられている。有線周辺装置は、嵌ほぞによって主フレームと嵌合し、またはビス構造によって主フレームに締付けられ、または磁石によって主フレームに吸着して結合または取外し可能である。内部には更に補助出入力インターフェース継手またはプラグソケットセットＰ２、専属インターフェース回路Ｃ１００、および切換選択スイッチＳＬ１００が設けられ、インターフェース継手またはプラグソケットセットＰ１と専属インターフェース回路Ｃ１００との導通の切換えに利用されている。
【０００６】
補助出入力インターフェース継手またはプラグソケットセットＰ２は遮断して関連専属インターフェース回路Ｃ１００を駆動し、あるいはインターフェース継手またはプラグソケットセットＰ１と補助出入力インターフェース継手またはプラグソケットセットＰ２の導通切換に利用されることにより、専属インターフェース回路と遮断される。主フレームインターフェース継手またはプラグソケットセットＰ０はインターフェース継手またはプラグソケットセットＰ１および切換選択スイッチＳＬ１００を経て補助出入力インターフェース継手またはプラグソケットセットＰ２へ導通される。
【０００７】
拡張継手を有し主フレームに設置可能である周辺装置と有線周辺装置とは嵌ほぞ構造によって主フレームと嵌合可能である。またはビス構造によって主フレームに締付けられている。または磁石によって主フレームと吸着して結合または取外し可能となっている。それは関連専属インターフェース回路およびケーシングの外、主としてインターフェース継手またはプラグソケットセットＰ１が設けられて主フレームのインターフェース継手またはプラグソケットセットＰ０との結合にも提供される。
【０００８】
一組または一組以上の補助出入力インターフェース継手またはプラグソケットセットＰ２が設けられ、切換選択スイッチＳＬ１００が設けられ、インターフェース継手またはプラグソケットセットＰ１と補助出入力インターフェース継手またはプラグソケットセットＰ２との導通、またはインターフェース継手またはプラグソケットセットＰ１と専属インターフェース回路Ｃ１００との導通の切換選択に提供されている。
【０００９】
【発明の実施の形態】
以下、本発明の実施例を図面に基づいて説明する。
図１は、本発明の一実施例による拡張継手を有し主フレームに設置可能である周辺装置の基本回路のブロックダイヤグラムであり、それの主要構成は次のものを含む。
【００１０】
ケーシングＨＳ１００は、プラスチック材、合金のダイキャスト、金属材料、あるいはその他材料により成型されている。ケーシングＨＳ１００は所属インターフェース装置の関連専属インターフェース回路Ｃ１００、インターフェース継手またはプラグソケットセットＰ１、一組または一組以上の補助出入力インターフェース継手またはプラグソケットセットＰ２の設置に提供されている。切換選択スイッチＳＬ１００が設けられ、インターフェース継手またはプラグソケットセットＰ１の所属インターフェースの関連専属インターフェース回路Ｃ１００と補助出入力インターフェース継手またはプラグソケットセットＰ２とに対する切換接続または遮断の選択に提供されている。
【００１１】
主フレームとケーシングとは嵌ほぞ構造によって嵌合され、またはビス構造によって主フレームに締付けられ、または磁石によって主フレームとの吸着に供される構造が設けられている。
インターフェース継手またはプラグソケットセットＰ１は、ＳＥＲＩＡＬ、ＰＳ２、ＵＳＢ、ＩＥＥＥ１３９４またはその他選定された規格の継手またはプラグソケットセットにより構成され、主フレームのインターフェース継手またはプラグソケットセットＰ０との接続に提供されている。
【００１２】
専属インターフェース回路Ｃ１００は、選定されたインターフェース装置の属性によって固体電子回路あるいは機電回路により構成され、例えばレシーバの受信回路またはその他周辺装置の専属インターフェース回路に使用されている。
補助出入力インターフェース継手またはプラグソケットセットＰ２は、一組または一組以上のＳＥＲＩＡＬ、ＰＳ２、ＵＳＢ、ＩＥＥＥ１３９４あるいはその他選定された規格の継手またはプラグソケットセットにより構成され、有線周辺装置との接続に提供されている。
【００１３】
切換選択スイッチＳＬ１００は、機電または固体回路素子により構成された分配型切換選択スイッチである。インターフェース継手またはプラグソケットセットＰ１は切換選択スイッチＳＬ１００の操作によって、専属インターフェース回路Ｃ１００あるいは、補助出入力インターフェース継手またはプラグソケットセットＰ２に接続され、この装置はインターフェース回路の型式、例えばＳＥＲＩＡＬ、ＰＳ２、ＵＳＢ、ＩＥＥＥ１３９４またはその他型態等異なった伝送インターフェースの性質によって設置されるか設置されないかを選択可能である。
【００１４】
この拡張継手を有し主フレームに設置可能である周辺装置は更に、任意充電台を設け加えることが可能である。これは主フレームの電源の蓄電装置に対する充電に提供されて、組み合わせにより無線装置の使用に提供される。
図２は任意充電台が設けられている実施例の回路表意図である。
【００１５】
図３は本発明の実施例による回路のブロックダイヤグラムである。その構成は専属インターフェース回路Ｃ１００中の直流正負電源を、機電または固体電子素子により構成された充電制御および表示回路ＲＥＧ１００に直列連結（または並列連結）する。更に充電継手またはプラグソケットセットＰ３、Ｐ４に並列連結され、同極性並列連結することにより充放電可能な二次電池または電容または超電容から構成される蓄電装置ＥＳＤ１００に据置かれる。それをもって主フレームの電源を受け、充電制御および表示回路ＲＥＧ１００を経て充電電圧電流の制御を行い、および充電状態の表示を行うものである。
【００１６】
図４は本発明の実施例による外観立体図である。
図５は、ツェナーダイオードＺＤ１０１を降圧機能の電源調整制御装置とした回路の例である。直接ツェナー素子と出力端とを直列連結し、そのツェナー降圧値を電源と出力インターフェースとの間の降圧値とする。必要に応じて入力端に隔離ダイオードＣＲ１０１が直列連結される。また、必要に応じて出力端に発光ダイオードＬＥＤ１０２および限流抵抗Ｒ１０２を直列連結して構成された充電状態表示回路を並列連結する。
【００１７】
図６は、発光および降圧機能のある電源調整制御装置の回路の例である。ツェナーダイオードＺＤ１０１（一つまたは一つ以上を直列または並列に表れたものを含む）を直列連結し、同時に降圧効果と発光効果を有する発光ダイオードＬＥＤ１０１（一つまたは一つ以上を直列または並列に表れたものを含む）を直列連結し、および限流抵抗Ｒ１０１を直列連結する。必要に応じて入力端に隔離ダイオードＣＲ１０１を連結する。
【００１８】
また、必要によって出力端に発光ダイオードＬＥＤ１０２および限流抵抗Ｒ１０２が直列連結され構成されている充電状態表示回路を並列連結し、同時に降圧および充電状態を表示する回路の機能を有する。
図７は、限流抵抗Ｒ１０１およびツェナーダイオードＺＤ１０１によって安定電圧出力の電源調整制御装置を構成した回路の例であり、図面中、限流抵抗Ｒ１０１は電源と出力インターフェースの間に直列連結される。ツェナーダイオードＺＤ１０１は出力インターフェースの両端に並列連結されて安定電圧の出力をする。
【００１９】
必要に応じて入力端に隔離ダイオードＣＲ１０１が連結される。
必要に応じて出力端に発光ダイオードＬＥＤ１０２および限流抵抗Ｒ１０２が直列連結され構成されている充電状態表示回路を、並列連結していることを特徴とする。
【００２０】
【発明の効果】
この拡張継手を有し主フレームに設置可能である周辺装置は自在に選択組合わせられ制御使用可能な補助出入力インターフェース継手またはプラグソケットセットを提供し、使用者の便利性を増進しおよび携帯の不便さを減少することができる。
【図面の簡単な説明】
【図１】本発明の一実施例による主フレームに設置可能な周辺装置の基本回路を示すブロックダイヤグラムである。
【図２】本発明の一実施例による主フレームに設置可能な周辺装置に任意充電台が設けられている状態を示す回路図である。
【図３】本発明の一実施例による主フレームに設置可能な周辺装置の回路を示すブロックダイヤグラムである。
【図４】本発明の一実施例による主フレームに設置可能な周辺装置の外観を示す立体図である。
【図５】本発明の一実施例による主フレームに設置可能な周辺装置をツェナーダイオードＺＤ１０１によって降圧機能の電源調整制御装置とした回路を示す図である。
【図６】本発明の一実施例による主フレームに設置可能な周辺装置を発光および降圧機能のある電源調整制御装置とした回路を示す図である。
【図７】本発明の一実施例による主フレームに設置可能な周辺装置を限流抵抗およびツェナーダイオードによって安定電圧出力の電源調整制御装置とした回路を示す図である。
【符号の説明】
Ｃ１００    専属インターフェース回路
ＣＲ１０１    隔離ダイオード
ＥＳＤ１００    蓄電装置
ＨＳ１００    ケーシング
ＬＥＤ１０１    発光ダイオード
ＬＥＤ１０２    発光ダイオード
Ｐ１    インターフェース継手またはプラグソケットセット
Ｐ０    主フレームインターフェース継手またはプラグソケットセット
Ｐ２    補助出入力インターフェース継手またはプラグソケットセット
Ｐ３    充電継手またはプラグソケットセット
Ｐ４    充電継手またはプラグソケットセット
Ｒ１０１    限流抵抗
Ｒ１０２    限流抵抗
ＲＥＧ１００    表示回路
ＳＬ１００    切換選択スイッチ
ＺＤ１０１    ツェナーダイオード
【図１】
0004615757.tif 000002
【図２】
0004615757.tif 000003
【図３】
0004615757.tif 000004
【図４】
0004615757.tif 000005
【図５】
0004615757.tif 000006
【図６】
0004615757.tif 000007
【図７】
0004615757.tif 000008